【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
動画像の撮影が可能な撮像装置であって、
動画像の撮影時に、新たに取得したコマの画像データと直前に撮影したコマの画像データとの相関関係の有無を判断する判断手段と、
前記判断手段の判断結果を前記新たに取得したコマの画像データと共に記録媒体に記録する記録手段と
を有することを特徴とする撮像装置。
【請求項２】
前記判断手段の判断結果に基づいて、互いに関連するコマを示す情報を生成する生成手段を更に有し、
前記記録手段は、該生成された互いに関連するコマを示す情報を前記記録媒体に記録することを特徴とする請求項１に記載の撮像装置。
【請求項３】
前記判断手段の判断結果に基づいて、互いに関連するコマの画像データを合成して合成画像データを生成する合成手段を更に有し、
前記記録手段は、前記合成画像データを前記記録媒体に記録することを特徴とする請求項１又は２に記載の撮像装置。
【請求項４】
前記記録媒体に記録された動画像を形成する複数コマから、印刷するコマを選択する選択手段と、
前記記録媒体に記録された前記判断手段による判断結果に基づいて、前記選択されたコマと相関関係を有するコマを抽出する抽出手段と、
前記選択されたコマ及び前記抽出手段により抽出されたコマの画像データを合成して印刷用の画像データを生成する第２の合成手段と、
前記第２の合成手段により合成した印刷用の画像データを印刷装置に出力する出力手段と
を更に有することを特徴とする請求項１乃至３のいずれか１項に記載の撮像装置。
【請求項５】
動画像を形成する複数コマの画像データと、該複数コマの画像データ間の相関関係の有無とを入力する入力手段と、
前記入力した複数コマから、印刷するコマを選択する選択手段と、
前記相関関係の有無に基づいて、前記選択されたコマと相関関係を有するコマを抽出する抽出手段と、
前記選択されたコマ及び前記抽出手段により抽出されたコマの画像データを合成して印刷用の画像データを生成する合成手段と、
前記合成手段により合成した印刷用の画像データを印刷装置に出力する出力手段と
を有することを特徴とする画像処理装置。
【請求項６】
動画像を形成する複数コマの画像データと、該複数コマの画像データ間の相関関係の有無とを入力する入力手段と、
前記入力した複数コマから、印刷するコマを選択する選択手段と、
前記相関関係の有無に基づいて、前記選択されたコマと相関関係を有するコマを抽出する抽出手段と、
前記選択されたコマ及び前記抽出手段により抽出されたコマの画像データを合成して印刷用の画像データを生成する合成手段と、
前記合成手段により合成した印刷用の画像データを印刷する印刷手段と
を有することを特徴とする印刷装置。
【請求項７】
動画像の撮影が可能な撮像装置であって、
動画像の撮影時に、撮影した動画像の画像データと、当該動画像の撮影データとを記憶する記憶手段と、
前記記憶手段に記憶された動画像を形成する複数コマから、印刷するコマを選択する選択手段と、
動画像を形成する複数コマの画像データを合成して印刷用の画像データを生成する合成手段と、
前記選択手段により選択されたコマの撮影データが示す撮影条件に基づいて、合成する画像数を決定する決定手段とを有し、
前記合成手段は、前記選択されたコマと、当該コマの前後に撮影された前記決定手段により決定された数のコマの画像データを合成することを特徴とする撮像装置。
【請求項８】
前記撮影データは、絞り値、シャッタースピード、感度、輝度値、画角変化発生時刻および画角変化量、被写体動作発生時刻および被写体動作量の少なくともいずれか１つを含むことを特徴とする請求項７に記載の撮像装置。
【請求項９】
前記記憶手段は、前記撮影データを動画像の画像データに添付することを特徴とすることを特徴とする請求項７又は８に記載の撮像装置。
【請求項１０】
前記記憶手段は、前記撮影データを動画像の画像データと別のファイルとして記憶することを特徴とする請求項７又は８に記載の撮像装置。
【請求項１１】
前記決定手段は、前記選択されたコマの撮影データが示す撮影条件が前後のコマと異なる場合に、合成する画像数を０とすることを特徴とする請求項７乃至１０のいずれか１項に記載の撮像装置。
【請求項１２】
動画像を形成する複数コマの画像データと、当該動画像の撮影データとを入力する入力手段と、
前記入力した複数コマから、印刷するコマを選択する選択手段と、
動画像を形成する複数コマの画像データを合成して印刷用の画像データを生成する合成手段と、
前記選択手段により選択されたコマの撮影データに基づいて、合成する画像数を決定する決定手段とを有し、
前記合成手段は、前記選択されたコマと、当該コマの前後に撮影された前記決定手段により決定された数のコマの画像データを合成することを特徴とする画像処理装置。
【請求項１３】
動画像を形成する複数コマの画像データと、当該動画像の撮影データとを入力する入力手段と、
前記入力した複数コマから、印刷するコマを選択する選択手段と、
動画像を形成する複数コマの画像データを合成して印刷用の画像データを生成する合成手段と、
前記選択手段により選択されたコマの撮影データが示す撮影条件に基づいて、合成する画像数を決定する決定手段と、
前記合成手段により合成した印刷用の画像データを印刷する印刷手段とを有し、
前記合成手段は、前記選択されたコマと、当該コマの前後に撮影された前記決定手段により決定された数のコマの画像データを合成することを特徴とする印刷装置。
【請求項１４】
動画像の撮影が可能な撮像装置の制御方法であって、
判断手段が、動画像の撮影時に、新たに取得したコマの画像データと直前に撮影したコマの画像データとの相関関係の有無を判断する判断工程と、
記録手段が、前記判断工程における判断結果を前記新たに取得したコマの画像データと共に記録媒体に記録する記録工程と
を有することを特徴とする制御方法。
【請求項１５】
生成手段が、前記判断工程における判断結果に基づいて、互いに関連するコマを示す情報を生成する生成工程を更に有し、
前記記録工程では、該生成された互いに関連するコマを示す情報を前記記録媒体に記録することを特徴とする請求項１４に記載の制御方法。
【請求項１６】
合成手段が、前記判断工程における判断結果に基づいて、互いに関連するコマの画像データを合成して合成画像データを生成する合成工程を更に有し、
前記記録工程では、前記合成画像データを前記記録媒体に記録することを特徴とする請求項１４又は１５に記載の制御方法。
【請求項１７】
取得手段が、動画像を形成する複数コマの画像データと、該複数コマの画像データ間の相関関係の有無に関する情報とを取得する取得工程と、
選択手段が、前記取得した複数コマから、印刷するコマを選択する選択工程と、
抽出手段が、前記相関関係の有無に基づいて、前記選択されたコマと相関関係を有するコマを抽出する抽出工程と、
合成手段が、前記選択されたコマ及び前記抽出工程で抽出されたコマの画像データを合成して印刷用の画像データを生成する合成工程と、
出力手段が、前記合成工程で合成した印刷用の画像データを印刷手段に出力する出力工程と
を有することを特徴とする印刷データ生成方法。
【請求項１８】
前記合成工程で合成された印刷用の画像データを前記印刷手段で印刷することを特徴とする請求項１７に記載の印刷データ生成方法。
【請求項１９】
取得手段が、動画像を形成する複数コマの画像データと、当該動画像の撮影データとを取得する取得工程と、
選択手段が、前記取得した複数コマから、印刷するコマを選択する選択工程と、
合成手段が、動画像を形成する複数コマの画像データを合成して印刷用の画像データを生成する合成工程と、
決定手段が、前記選択工程で選択されたコマの撮影データが示す撮影条件に基づいて、前記合成工程で合成する画像数を決定する決定工程とを有し、
前記合成工程では、前記選択されたコマと、当該コマの前後に撮影された前記決定工程で決定された数のコマの画像データを合成することを特徴とする印刷データ生成方法。
【請求項２０】
前記合成工程で合成された印刷用の画像データを印刷装置で印刷することを特徴とする請求項１９に記載の印刷データ生成方法。
【請求項２１】
情報処理装置が実行可能なプログラムであって、前記プログラムを実行した情報処理装置を、請求項５又は１２に記載の画像処理装置として機能させることを特徴とするプログラム。
【請求項２２】
コンピュータに、請求項１４乃至１６のいずれか１項に記載の制御方法の各工程を実行させるためのプログラム。
【請求項２３】
コンピュータに、請求項１７乃至２０のいずれか１項に記載の印刷データ生成方法の各工程を実行させるためのプログラム。
【請求項２４】
請求項２１乃至２３のいずれかに記載のプログラムを記憶したことを特徴とするコンピュータが読み取り可能な記憶媒体。
【手続補正２】
【補正対象書類名】明細書
【補正対象項目名】００１８
【補正方法】変更
【補正の内容】
【００１８】
更に、前記撮像装置は、前記記録媒体に記録された動画像を形成する複数コマの画像データから、印刷するコマを選択する選択手段と、前記記録媒体に記録された前記判断手段による判断結果に基づいて、前記選択されたコマと相関関係を有するコマを抽出する抽出手段と、前記選択されたコマ及び前記抽出手段により抽出されたコマの画像データを合成して印刷用の画像データを生成する合成手段と、前記合成手段により合成した印刷用の画像データを印刷装置に出力する出力手段とを有する。
【手続補正３】
【補正対象書類名】明細書
【補正対象項目名】００１９
【補正方法】変更
【補正の内容】
【００１９】
また、動画像の撮影が可能な撮像装置の本発明の制御方法は、判断手段が、動画像の撮影時に、新たに取得したコマの画像データと直前に撮影したコマの画像データとの相関関係の有無を判断する判断工程と、記録手段が、前記判断工程における判断結果を前記新たに取得したコマの画像データと共に記録媒体に記録する記録工程とを有する。
【手続補正４】
【補正対象書類名】明細書
【補正対象項目名】００２０
【補正方法】変更
【補正の内容】
【００２０】
また、別の構成によれば、本発明の画像処理装置は、動画像を形成する複数コマの画像データと、該複数コマの画像データ間の相関関係の有無とを入力する入力手段と、前記入力した複数コマの画像データから、印刷するコマを選択する選択手段と、前記相関関係の有無に基づいて、前記選択されたコマと相関関係を有するコマを抽出する抽出手段と、前記選択されたコマ及び前記抽出手段により抽出されたコマの画像データを合成して印刷用の画像データを生成する合成手段と、前記合成手段により合成した印刷用の画像データを印刷装置に出力する出力手段とを有する。
【手続補正５】
【補正対象書類名】明細書
【補正対象項目名】００２１
【補正方法】変更
【補正の内容】
【００２１】
また、別の構成によれば、本発明の印刷装置は、動画像を形成する複数コマの画像データと、該複数コマの画像データ間の相関関係の有無とを入力する入力手段と、前記入力した複数コマの画像データから、印刷するコマを選択する選択手段と、前記相関関係の有無に基づいて、前記選択されたコマと相関関係を有するコマを抽出する抽出手段と、前記選択されたコマ及び前記抽出手段により抽出されたコマの画像データを合成して印刷用の画像データを生成する合成手段と、前記合成手段により合成した印刷用の画像データを印刷する印刷手段とを有する。
【手続補正６】
【補正対象書類名】明細書
【補正対象項目名】００２２
【補正方法】変更
【補正の内容】
【００２２】
また、本発明の印刷データ生成方法は、取得手段が、動画像を形成する複数コマの画像データと、該複数コマの画像データ間の相関関係の有無に関する情報を取得する取得工程と、選択手段が、前記取得した複数コマから、印刷するコマを選択する選択工程と、抽出手段が、前記相関関係の有無に基づいて、前記選択されたコマと相関関係を有するコマを抽出する抽出工程と、合成手段が、前記選択されたコマ及び前記抽出工程で抽出されたコマの画像データを合成して印刷用の画像データを生成する合成工程と、出力手段が、前記合成工程で合成した印刷用の画像データを印刷手段に出力する出力工程とを有する。
【手続補正７】
【補正対象書類名】明細書
【補正対象項目名】００２３
【補正方法】変更
【補正の内容】
【００２３】
また、別の構成によれば、動画像の撮影が可能な本発明の撮像装置は、動画像の撮影時に、撮影した動画像の画像データと、当該動画像の撮影データとを記憶する記憶手段と、前記記憶手段に記憶された動画像を形成する複数コマの画像データから、印刷するコマを選択する選択手段と、動画像を形成する複数コマの画像データを合成して印刷用の画像データを生成する合成手段と、前記選択手段により選択されたコマの撮影データが示す撮影条件に基づいて、合成する画像数を決定する決定手段とを有し、前記合成手段は、前記選択されたコマと、当該コマの前後に撮影された前記決定手段により決定された数のコマの画像データを合成する。
【手続補正８】
【補正対象書類名】明細書
【補正対象項目名】００２４
【補正方法】変更
【補正の内容】
【００２４】
また、別の構成によれば、本発明の画像処理装置は、動画像を形成する複数コマの画像データと、当該動画像の撮影データとを入力する入力手段と、前記入力した複数コマから、印刷するコマを選択する選択手段と、動画像を形成する複数コマの画像データを合成して印刷用の画像データを生成する合成手段と、前記選択手段により選択されたコマの撮影データに基づいて、合成する画像数を決定する決定手段とを有し、前記合成手段は、前記選択されたコマと、当該コマの前後に撮影された前記決定手段により決定された数のコマの画像データを合成する。
【手続補正９】
【補正対象書類名】明細書
【補正対象項目名】００２５
【補正方法】変更
【補正の内容】
【００２５】
また、別の構成によれば、本発明の印刷装置は、動画像を形成する複数コマの画像データと、当該動画像の撮影データとを入力する入力手段と、前記入力した複数コマから、印刷するコマを選択する選択手段と、動画像を形成する複数コマの画像データを合成して印刷用の画像データを生成する合成手段と、前記選択手段により選択されたコマの撮影データが示す撮影条件に基づいて、合成する画像数を決定する決定手段と、前記合成手段により合成した印刷用の画像データを印刷する印刷手段とを有し、前記合成手段は、前記選択されたコマと、当該コマの前後に撮影された前記決定手段により決定された数のコマの画像データを合成する。
【手続補正１０】
【補正対象書類名】明細書
【補正対象項目名】００２６
【補正方法】変更
【補正の内容】
【００２６】
また、本発明の印刷データ生成方法は、取得手段が、動画像を形成する複数コマの画像データと、当該動画像の撮影データとを取得する取得工程と、選択手段が、前記取得した複数コマから、印刷するコマを選択する選択工程と、合成手段が、動画像を形成する複数コマの画像データを合成して印刷用の画像データを生成する合成工程と、決定手段が、前記選択工程で選択されたコマの撮影データが示す撮影条件に基づいて、前記合成工程で合成する画像数を決定する決定工程とを有し、前記合成工程では、前記選択されたコマと、当該コマの前後に撮影された前記決定工程で決定された数のコマの画像データを合成する。
【手続補正１１】
【補正対象書類名】明細書
【補正対象項目名】００３３
【補正方法】変更
【補正の内容】
【００３３】
２１は液晶ディスプレイ（ＬＣＤ）などの表示部、２２は表示部２１の表示制御を行う表示制御部である。２３はＮＴＳＣエンコーダ、２４はビデオ出力端子、２５はＩＥＥＥ１３９４規格やＵＳＢ規格等の規格に準拠した通信インターフェース（Ｉ／Ｆ）である。２６は画像データ間の相関関係を判断する相関判断部、２８は、ボタン、スイッチ、ダイヤル、タッチパネル等から構成される操作部である。
【手続補正１２】
【補正対象書類名】明細書
【補正対象項目名】００４０
【補正方法】変更
【補正の内容】
【００４０】
次に、ステップＳ１７において、画像コーデック１９は今回取得した画像データをフレームメモリ１６から読み出して動画像に適した方法で圧縮符号化し、記録部２０に圧縮符号化した画像データを転送する。記録部２０では、圧縮符号化した圧縮画像データを記録に適したフォーマットに変換して、相関判断部２６から得られる相関フラグと共に記録媒体２９に記録する。
【手続補正１３】
【補正対象書類名】明細書
【補正対象項目名】００６０
【補正方法】変更
【補正の内容】
【００６０】
また、上記第１の実施形態では、印刷指定されてから印刷用静止画像を作成していた。これに対し、撮像装置１において、動画像撮影と同時に図３のステップＳ２２〜Ｓ２６で説明したアルゴリズムを用いて印刷用静止画を作成して動画データもしくは記憶媒体２９に記録するようにしても良い。この場合、印刷装置３において任意の動画フレームが印刷指定されたときは、その動画フレームを用いて生成された印刷用静止画を単に呼び出して印刷する。これにより、印刷指定されてから印刷されるまでの時間を短縮し、生産性を高めることが可能となる。
【手続補正１４】
【補正対象書類名】明細書
【補正対象項目名】００６６
【補正方法】変更
【補正の内容】
【００６６】
６７は動画用撮影データ作成部であり、動画撮影時の撮影データを生成する。なお、撮影データについては、詳細に後述する。７２は、撮影データを印刷装置８に送信する撮影データ送信部である。
【手続補正１５】
【補正対象書類名】明細書
【補正対象項目名】００６８
【補正方法】変更
【補正の内容】
【００６８】
印刷装置８において、８１及び８５はそれぞれ、撮像装置５から送られた画像データ及び撮影データを受信する画像受信部及び撮影データ受信部である。８２は、画像受信部８１を介して受信した画像データを一時的に記憶する画像バッファ、８３は画像バッファ８２に記憶された画像データを伸長する画像伸長部である。また、８６は伸長された複数画像データの各露出値を演算する、前後画像露出値演算部である。８４は撮影データ受信部８５を介して受信した撮影データを用いて印刷に用いる補正値を決定するプリンタ用補正値算出部、８７は決定した補正値を用いて画像データに対して補正処理を行うプリンタ用画像処理部である。８８は、撮像装置５の制御部６０の制御に応じてプリンタを制御するプリンタ制御部、８９はプリンタ用画像処理部８７により処理された画像を印刷する印刷部である。
【手続補正１６】
【補正対象書類名】明細書
【補正対象項目名】００７５
【補正方法】変更
【補正の内容】
【００７５】
また、前記動画用撮影データ作成部６７により作成されるカメラ特性データには、一眼レフカメラのような交換レンズの情報も含まれる。そのレンズ情報の内容としては、名称・種類・設計値・ズームポジション・F値などの撮影データに加え、周辺光量落ちデータ・色収差情報といった特性データをも含む。着脱交換可能なレンズの場合には、ダイレクト接続時にレンズ自体が保持している情報をカメラを介してプリンタ側に転送することも可能とする。
【手続補正１７】
【補正対象書類名】明細書
【補正対象項目名】００８５
【補正方法】変更
【補正の内容】
【００８５】
Ｔｖ≧ＴｖＴＨであればステップＳ３４に進んで、ゲイン（Ｇａｉｎ）が所定置（ＧａｉｎＴＨ）よりも大きいかどうかを判断する。ゲインが大きいほどノイズが多くなるので、後述する画像合成において使用するフレーム数を多くし、ノイズを除去することが望ましい。従って、Ｇａｉｎ＞ＧａｉｎＴＨであればステップＳ３９に進んで、印刷指定された動画フレームの前後各５フレームを選択する（合計１１フレーム）。また、Ｇａｉｎ≦ＧａｉｎＴＨであればステップＳ３８で前後各３フレームを選択して（合計７フレーム）、ステップＳ４０に進む。
【手続補正１８】
【補正対象書類名】明細書
【補正対象項目名】００８８
【補正方法】削除
【補正の内容】
【手続補正１９】
【補正対象書類名】明細書
【補正対象項目名】００９０
【補正方法】変更
【補正の内容】
【００９０】
＜変形例＞
上記第２の実施形態では、図１３のステップＳ３５〜Ｓ４０で印刷装置８に送信するフレームを決定すると、該当する動画フレームを撮像装置５側で合成し、合成した印刷用の静止画像を印刷装置８に送信する場合について説明した。
【手続補正２０】
【補正対象書類名】図面
【補正対象項目名】図１０
【補正方法】変更
【補正の内容】
【図１０】
2008005436.tif 000001
【手続補正２１】
【補正対象書類名】図面
【補正対象項目名】図１３
【補正方法】変更
【補正の内容】
【図１３】
2008005436.tif 000002